(57)【要約】【課題】  電子機器から通知された電子機器に関する情報が正しいか否かを判定し、電子機器への給電の制御が適切に行われるようにすることを目的とする。【解決手段】  電子機器は、前記電子機器に関する情報を更新する制御手段と、前記制御手段が前記電子機器に関する情報を更新可能な状態か否かを通知するためのデータを前記外部装置に送信する通信手段とを有する。【選択図】  図２
2016066829.tif 000002
【特許請求の範囲】
【請求項１】
電子機器であって、
前記電子機器に関する情報を更新する制御手段と、
前記制御手段が前記電子機器に関する情報を更新可能な状態か否かを通知するためのデータを前記外部装置に送信する通信手段と
を有することを特徴とする電子機器。
【請求項２】
前記外部装置から無線で電力を受け取る受電手段を有し、
前記通信手段は、前記外部装置に前記電子機器への無線給電の制御を行わせるために前記制御手段が前記電子機器に関する情報を更新可能な状態か否かを通知するためのデータを前記外部装置に送信することを特徴とすることを特徴とする請求項１に記載の電子機器。
【請求項３】
前記制御手段が前記電子機器に関する情報を更新可能な状態である場合、前記制御手段は、前記受電手段によって電力が受電されたことに応じて、前記電子機器に関する情報を更新することを特徴とする請求項２に記載の電子機器。
【請求項４】
前記制御手段が前記電子機器に関する情報を更新可能な状態である場合、前記制御手段は、所定のタイミングに応じて、前記電子機器に関する情報を更新することを特徴とする請求項２に記載の電子機器。
【請求項５】
前記制御手段が前記電子機器に関する情報を更新可能な状態か否かを通知するためのデータは、ＮＤＥＦに対応するデータとして外部装置に送信されることを特徴とする請求項１から４のいずれか１項に記載の電子機器。
【請求項６】
前記制御手段が前記電子機器に関する情報を更新可能な状態でない場合、前記通信手段は、前記制御手段によって更新されない所定のデータを前記外部装置に送信することを特徴とする請求項１から５のいずれか１項に記載の電子機器。
【請求項７】
電子機器に無線給電を行う給電手段と、
前記電子機器と通信を行う通信手段と、
前記通信手段によって前記電子機器から取得された前記電子機器に関する情報を用いて前記電子機器への無線給電を制御する制御手段と
を有し、
前記制御手段は、前記通信手段によって前記電子機器から受信された前記電子機器に関する情報を更新可能な状態か否かを通知するためのデータに応じて、前記電子機器への無線給電を行うか否かを制御することを特徴とする給電装置。
【請求項８】
前記制御手段は、前記通信手段によって前記電子機器から前記電子機器に関する情報を更新可能でない状態であることを通知するためのデータが受信された場合、前記電子機器への無線給電を行わないように前記給電手段を制御する請求項７に記載の給電装置。
【請求項９】
前記制御手段は、前記通信手段によって前記電子機器から前記電子機器に関する情報を更新可能である状態であることを通知するためのデータが受信された場合、前記電子機器に関する情報を用いて前記電子機器への無線給電を制御することを特徴とする請求項７または８に記載の給電装置。
【発明の詳細な説明】
【技術分野】
【０００１】
本発明は、外部装置と通信する電子機器等に関する。
【背景技術】
【０００２】
近年、コネクタで接続することなく、無線により電力を伝送する給電システムが知られている。
【０００３】
このような給電システムにおいて、コマンドを電子機器に送信するためのデータ通信と、電子機器への電力の伝送とを同一のアンテナを介して行う給電装置が知られている（特許文献１）。
【先行技術文献】
【特許文献】
【０００４】
【特許文献１】特開２００８−１１３５１９号公報
【発明の概要】
【発明が解決しようとする課題】
【０００５】
このような給電システムにおいて、給電装置が電子機器の状態に応じて、電子機器への給電を制御することが求められている。その場合、電子機器は、自分の状態を定期的に検出し、その検出結果を給電装置に通知する必要がある。
【０００６】
しかしながら、給電装置は、電子機器から通知された情報が正しいか否かを判断することができなかった。このため、給電装置は、電子機器から通知された情報が正しくない情報であっても、電子機器から通知された情報を用いて、電子機器への給電の制御を行ってしまう場合があった。
【０００７】
そこで、電子機器から通知された電子機器に関する情報が正しいか否かを判定し、電子機器への給電の制御が適切に行われるようにすることを目的とする。
【課題を解決するための手段】
【０００８】
本発明に係る電子機器は、電子機器であって、前記電子機器に関する情報を更新する制御手段と、前記制御手段が前記電子機器に関する情報を更新可能な状態か否かを通知するためのデータを前記外部装置に送信する通信手段とを有することを特徴とする。
【０００９】
本発明に係る給電装置は、電子機器に無線給電を行う給電手段と、前記電子機器と通信を行う通信手段と、前記通信手段によって前記電子機器から取得された前記電子機器に関する情報を用いて前記電子機器への無線給電を制御する制御手段とを有し、前記制御手段は、前記通信手段によって前記電子機器から受信された前記電子機器に関する情報を更新可能な状態か否かを通知するためのデータに応じて、前記電子機器への無線給電を行うか否かを制御することを特徴とする。
【発明の効果】
【００１０】
本発明によれば、電子機器から通知された電子機器に関する情報が正しいか否かを判定し、電子機器への給電の制御が適切に行われるようにすることができる。
【図面の簡単な説明】
【００１１】
【図１】実施例１における給電システムの一例を示した図。
【図２】実施例１における給電装置の一例を示したブロック図。
【図３】実施例１における電子機器の一例を示したブロック図。
【図４】実施例１における電子機器によって行われる第１の通知処理の一例を示すフローチャート。
【図５】実施例１における電子機器によって行われる第２の通知処理の一例を示すフローチャート。
【図６】実施例１における給電装置によって行われる給電処理の一例を示すフローチャート。
【発明を実施するための形態】
【００１２】
以下に、本発明の好ましい実施の形態を、添付の図面に基づいて詳細に説明する。
【００１３】
（実施例１）
以下、本発明の実施例１について、図面を参照して詳細に説明する。実施例１に係る給電システムは、図１に示すように給電装置１００と、電子機器２００とを有する。実施例１における給電システムにおいて、電子機器２００が所定の範囲内に存在する場合、給電装置１００は、電子機器２００に無線給電を行う。また、電子機器２００が所定の範囲内に存在する場合、電子機器２００は、給電装置１００から出力される電力を無線により受け付ける。また、電子機器２００が所定の範囲内に存在しない場合、電子機器２００は、給電装置１００から電力を受け付けることができない。なお、所定の範囲とは、給電装置１００と電子機器２００とが通信を行うことができる範囲であるものとする。なお、給電装置１００は、複数の電子機器に対して、無線給電を行うものであってもよいものとする。
【００１４】
電子機器２００は、カメラ等の撮像装置であってもよく、音声データや映像データの再生を行う再生装置であってもよい。また、電子機器２００、携帯電話やスマートフォンのような通信装置であってもよいものとする。また、電子機器２００は、電池２０９を含む電池パックであってもよい。また、電子機器２００は、給電装置１００から供給される電力によって駆動する車のような装置であってもよい。また、電子機器２００は、テレビジョン放送を受信する装置、映像データを表示するディスプレイ、またはパーソナルコンピュータであってもよいものとする。また、電子機器２００は、電池２０９が装着されていない場合であっても、給電装置１００から供給される電力を用いて動作する装置であってもよい。
【００１５】
図２は、給電装置１００の構成の一例を示すブロック図である。給電装置１００は、図２に示すように、変換部１０１、発振器１０２、電力生成部１０３、整合回路１０４、通信部１０５、給電アンテナ１０６、ＣＰＵ１０７、ＲＯＭ１０８、ＲＡＭ１０９、表示部１１０、操作部１１１及び検出部１１２を含む。
【００１６】
変換部１０１は、不図示のＡＣ電源と給電装置１００とが接続されている場合、不図示のＡＣ電源から供給される交流電力を直流電力に変換し、変換した直流電力を給電装置１００に供給する。
【００１７】
発振器１０２は、変換部１０１から供給される電力をＣＰＵ１０７によって設定された目標電力に変換するように電力生成部１０３を制御するために用いられる周波数を発振する。なお、発振器１０２は、水晶振動子等を用いる。
【００１８】
電力生成部１０３は、変換部１０１から供給される電力と、発振器１０２によって発振される周波数とに基づいて、給電アンテナ１０６を介して外部に出力するための電力を生成する。なお、電力生成部１０３によって生成された電力は、検出部１１２を介して、整合回路１０４に供給される。
【００１９】
電力生成部１０３によって生成される電力には、第１の電力と、第２の電力とがある。第１の電力は、通信部１０５が給電アンテナ１０６を介して電子機器２００と通信を行うために用いられる電力である。第２の電力は、電子機器２００に電池２０９の充電や所定の処理を行わせるために用いられる電力である。例えば、第１の電力は、１Ｗ以下の電力であり、第２の電力は、２Ｗ以上の電力である。なお、第１の電力は、第２の電力よりも低い電力であるものとする。また、第１の電力は、通信部１０５の通信規格において規定されている電力であっても良い。また、第１の電力は、１Ｗ以下の電力に限られないものとする。また、第２の電力は、電子機器２００に電池２０９の充電や所定の処理を行わせるために用いられる電力であれば、２Ｗ以上の電力に限られないものとする。
【００２０】
整合回路１０４は、給電アンテナ１０６と、電子機器２００の受電アンテナ２０１との間で共振を行うための共振回路である。また、整合回路１０４は、電力生成部１０３と給電アンテナ１０６との間のインピーダンスマッチングを行うための回路を含む。整合回路１０４には、不図示のコイルや不図示のコンデンサが含まれる。
【００２１】
給電装置１００が第１の電力及び第２の電力のいずれか一つを出力する場合、ＣＰＵ１０７は、給電アンテナ１０６と、受電アンテナ２０１との間で共振を行うために、給電アンテナ１０６の共振周波数ｆが所定の周波数になるように整合回路１０４を制御する。この場合、ＣＰＵ１０７は、整合回路１０４に含まれるインダクタンスの値や、整合回路１０４に含まれるキャパシタンスの値を制御することで、給電アンテナ１０６の共振周波数ｆを変更するようにする。なお、所定の周波数は、例えば、１３．５６ＭＨｚの周波数であるものとする。
【００２２】
通信部１０５は、例えば、ＮＦＣ（Ｎｅａｒ  Ｆｉｅｌｄ  Ｃｏｍｍｕｎｉｃａｔｉｏｎ）フォーラムによって規定されているＮＦＣ規格に基づいて、近接無線通信を行う。通信部１０５は、第１の電力が給電アンテナ１０６から出力されている場合、給電アンテナ１０６を介して電子機器２００と無線給電を行うためのデータの送受信を行うことができる。しかし、第２の電力が給電アンテナ１０６から出力されている期間において、通信部１０５は、給電アンテナ１０６を介して電子機器２００と通信を行わないものとする。通信部１０５は、第１の電力が給電アンテナ１０６から出力されている場合、第１の電力にデータを重畳することによって電子機器２００にデータを送信する。電子機器２００は、データを給電装置１００に送信する場合、電子機器２００の内部の負荷を変調するので、給電アンテナ１０６に流れる電流が変化する。そのため、通信部１０５は、給電アンテナ１０６に流れる電流を検出し、それを解析することによって、電子機器２００からデータを受信することができる。
【００２３】
なお、通信部１０５と電子機器２００との間で伝送されるデータは、ＮＤＥＦ（ＮＦＣ  Ｄａｔａ  Ｅｘｃｈａｎｇｅ  Ｆｏｒｍａｔ）に対応するデータである。
【００２４】
給電アンテナ１０６は、電力生成部１０３により生成された電力を外部に出力するためのアンテナである。給電装置１００は、給電アンテナ１０６を介して電子機器２００に電力を供給したり、給電アンテナ１０６を介して電子機器２００にデータを送信したりする。また、給電装置１００は、給電アンテナ１０６を介して、電子機器２００からデータを受信する。
【００２５】
ＣＰＵ（Ｃｅｎｔｒａｌ  Ｐｒｏｃｅｓｓｉｎｇ  Ｕｎｉｔ）１０７は、ＲＯＭ１０８に記憶されているコンピュータプログラムを実行することによって、給電装置１００を制御する。ＣＰＵ１０７は、電力生成部１０３を制御することによって電子機器２００に供給する電力を制御する。
【００２６】
ＲＯＭ１０８は、給電装置１００を制御するコンピュータプログラム及び給電装置１００に関するパラメータ等の情報を記憶する。
【００２７】
ＲＡＭ１０９は、通信部１０５によって電子機器２００から取得されたデータを記録する。
【００２８】
表示部１１０は、ＲＡＭ１０９及びＲＯＭ１０８のいずれか一つから供給される映像データを表示する。また、ユーザに対する警告表示を行う。
【００２９】
操作部１１１は、給電装置１００を操作するためのユーザインターフェースを提供する。操作部１１１は、給電装置１００の電源ボタン及び給電装置１００のモード切換ボタン等を有し、各ボタンはスイッチ、タッチパネル等により構成される。ＣＰＵ１０７は、操作部１１１を介して入力された入力信号に従って給電装置１００を制御する。
【００３０】
検出部１１２は、給電装置１００と電子機器２００との共振の状態を検出するために、電圧定在波比ＶＳＷＲ（Ｖｏｌｔａｇｅ  Ｓｔａｎｄｉｎｇ  Ｗａｖｅ  Ｒａｔｉｏ）を検出する。さらに、検出部１１２は、検出したＶＳＷＲを示すデータをＣＰＵ１０７に供給する。ＶＳＷＲは、給電アンテナ１０６から出力される電力の進行波と、給電アンテナ１０６から出力される電力の反射波との関係を示す値である。ＣＰＵ１０７は、検出部１１２から供給されたＶＳＷＲのデータを用いて、給電装置１００の近傍に物体が置かれたか否かを検出することができる。
【００３１】
次に、図３を参照して、電子機器２００の構成の一例について説明を行う。電子機器２００は、受電アンテナ２０１、整合回路２０２、整流平滑回路２０３、通信部２０４、レギュレータ２０５、ＣＰＵ２０６、メモリ２０７を有する。さらに、電子機器２００は、充電部２０８、電池２０９、システム２１０、操作部２１３及びタイマー２１４を有する。
【００３２】
受電アンテナ２０１は、給電装置１００から供給される電力を受電するためのアンテナである。電子機器２００は、受電アンテナ２０１を介して、給電装置１００から電力を受電する。また、電子機器２００は、受電アンテナ２０１を介して、給電装置１００と無線通信を行う。
【００３３】
整合回路２０２は、給電アンテナ１０６の共振周波数ｆと同じ周波数に応じて、給電アンテナ１０６と受電アンテナ２０１との間で共振するための共振回路である。また、整合回路２０２は、受電アンテナ２０１と整流平滑回路２０３との間のインピーダンスマッチングを行うための回路を含む。整合回路２０２には、不図示のコイルや不図示のコンデンサが含まれる。ＣＰＵ２０６は、給電アンテナ１０６の共振周波数ｆと同じ周波数で受電アンテナ２０１が発振するように整合回路２０２に含まれるコイルの値やコンデンサの値を制御する。また、整合回路２０２は、受電アンテナ２０１によって受電される電力を整流平滑回路２０３に供給する。
【００３４】
整流平滑回路２０３は、整合回路２０２から供給される電力からデータ及びノイズを取り除き、直流電力を生成する。さらに、整流平滑回路２０３は、生成した直流電力をレギュレータ２０５に供給する。整流平滑回路２０３は、受電アンテナ２０１によって受電される電力から取り除いたデータを通信部２０４に供給する。
【００３５】
通信部２０４は、通信部１０５と同じ通信規格に応じて、給電装置１００等の外部装置と無線通信を行う。通信部２０４は、整流平滑回路２０３から供給されたデータを解析し、データの解析結果をＣＰＵ２０６に供給する。給電装置１００から電子機器２００に第１の電力が供給されている場合、ＣＰＵ２０６は、受信したデータに対する応答データを給電装置１００に送信する。この場合、ＣＰＵ２０６は、受信したデータに対する応答データを給電装置１００に送信するために通信部２０４に含まれる負荷を変動させるように通信部２０４を制御する。なお、通信部２０４は、メモリ２０４ａを有する。メモリ２０４ａには、給電装置１００に送信するためのデータとして、電子機器２００に関するステータス情報が格納される。ステータス情報には、固定のデータである第１のデータと、電子機器２００の状態に応じて変化する第２のデータと、更新データとが含まれる。なお、ステータス情報は、ＮＤＥＦに対応するデータである。
【００３６】
第１のデータには、電子機器２００を識別するための情報、電子機器２００の対応している給電方式を示す情報及び電子機器２００が受電できる電力の最大値を示す情報等が含まれる。第１のデータは、あらかじめメモリ２０４ａに格納される。第２のデータには、電池２０９の残容量を示す残容量情報、電池２０９の充電に関する充電情報、電子機器２００が給電装置１００に要求する電力の値を示す要求情報及び受電アンテナ２０１が給電装置１００から受電した電力を示す受電情報等が含まれる。第２のデータは、ＣＰＵ２０６によって更新される。
【００３７】
更新データは、第２のデータがＣＰＵ２０６によって更新されたか否かを示す情報である。更新データは、例えば、１ビットのデータである。ＣＰＵ２０６は、第２のデータの更新が完了した場合、更新データを変更する。例えば、更新データが「０」である場合において、第２のデータの更新が完了した後、ＣＰＵ２０６は、更新データを「０」から「１」に変更する。また、例えば、更新データが「１」である場合において、第２のデータの更新が完了した後、ＣＰＵ２０６は、更新データを「１」から「０」に変更する。ＣＰＵ２０６は、第２のデータの更新が完了するまでは、更新データを変更しない。このため、更新データが「１」である場合において、ＣＰＵ２０６が第２のデータの更新を行えないときは、更新データは、「０」に変更されず、「１」のままとなる。
【００３８】
なお、通信部２０４は、ＣＰＵ２０６によりも消費電力が小さい。通信部２０４は、給電装置１００から第１の電力が出力されている間、受電アンテナ２０１によって給電装置１００から受電された電力を用いて通信部１０５と通信を行うことができる。
【００３９】
レギュレータ２０５は、整流平滑回路２０３及び電池２０９のいずれか一つから供給される電力を電子機器２００に供給するように制御する。レギュレータ２０５は、ＣＰＵ２０６からの指示に応じて、整流平滑回路２０３を介して給電装置１００から供給される電力を電子機器２００に供給する。レギュレータ２０５は、ＣＰＵ２０６からの指示に応じて、充電部２０８を介して電池２０９から供給される放電電力を電子機器２００に供給する。
【００４０】
ＣＰＵ２０６は、通信部２０４から供給されたデータの解析結果に応じて、電子機器２００を制御する。また、ＣＰＵ２０６は、メモリ２０７に記憶されているコンピュータプログラムを実行することによって、電子機器２００を制御する。
【００４１】
ＣＰＵ２０６は、整流平滑回路２０３によって生成された直流電力を検出することによって受電情報を生成し、メモリ２０４ａに格納されている受電情報を消去し、新たに生成した受電情報をメモリ２０４ａに格納する。このことによって、ＣＰＵ２０６は、第２のデータに含まれる受電情報を更新する。
【００４２】
ＣＰＵ２０６は、電子機器２００の状態や、電池２０９の残容量に応じて、電子機器２００に必要な電力を検出することによって要求情報を生成し、メモリ２０４ａに格納されている要求情報を消去し、新たに生成した要求情報をメモリ２０４ａに格納する。このことによって、ＣＰＵ２０６は、第２のデータに含まれる要求情報を更新する。
【００４３】
メモリ２０７は、電子機器２００を制御するコンピュータプログラムを記憶する。また、メモリ２０７には、電子機器２００に関する情報等が記録される。
【００４４】
充電部２０８は、レギュレータ２０５から供給される電力を用いて、電池２０９の充電を行う。また、充電部２０８は、レギュレータ２０５から電力されない場合、電池２０９から供給される放電電力をレギュレータ２０５に供給する。充電部２０８は、残容量情報及び充電情報を定期的に検出し、検出した情報をＣＰＵ２０６に通知する。ＣＰＵ２０６は、メモリ２０４ａに格納されている残容量情報及び充電情報を消去し、充電部２０８から供給された残容量情報及び充電情報をメモリ２０４ａに新たに格納する。このことによって、ＣＰＵ２０６は、第２のデータに含まれる残容量情報及び充電情報を更新する。
【００４５】
電池２０９は、電子機器２００に着脱可能な電池である。また、電池２０９は、充電可能な二次電池である。
【００４６】
システム２１０は、記録部２１１及び撮像部２１２を有する。
【００４７】
記録部２１１は、撮像部２１２から供給された映像データや音声データ等のデータを記録媒体２１１ａに記録する。また、記録部２１１は、映像データや音声データ等のデータを記録媒体２１１ａから読み出す。なお、記録媒体２１１ａは、ハードディスクやメモリカード等であってもよく、電子機器２００に内蔵されていても、電子機器２００に着脱可能な外部の記録媒体であってもよい。
【００４８】
撮像部２１２は、被写体の光学像から映像データを生成するための撮像素子、撮像素子で生成された映像データに対して画像処理を行う画像処理回路及び映像データを圧縮したり、圧縮された映像データを伸長したりするための圧縮伸長回路等を有する。撮像部２１２は、被写体の撮影を行い、撮影の結果により得られた静止画像や動画像等の映像データを記録部２１１に供給する。記録部２１１は、撮像部２１２から供給された映像データを記録媒体２１１ａに記録する。撮像部２１２は、被写体の撮影を行うための必要な構成をさらに有していてもよい。
【００４９】
なお、システム２１０は、電子機器２００が電源オンである場合にレギュレータ２０５から電力が供給される手段を含むものである。そのため、システム２１０は、記録部２１１、記録媒体２１１ａ、及び撮像部２１２以外に映像データを表示するための表示手段やメールの送受信を行うための手段等をさらに含むものであってもよい。
【００５０】
操作部２１３は、電子機器２００を操作するためのユーザインターフェースである。操作部２１３は、電子機器２００を操作するための電源ボタン及び電子機器２００のモードを切り換えるモード切換ボタン等を有し、各ボタンはスイッチ、タッチパネル等により構成される。ユーザによって操作部２１３が操作された場合、操作部２１３は、ユーザによって行われた操作に対応する信号をＣＰＵ２０６に供給する。なお、操作部２１３は、不図示のリモートコントローラから受信したリモコン信号に応じて電子機器２００を制御するものであってもよい。
【００５１】
タイマー２１４は、電子機器２００の各部で行われる処理に関する時間を測定する。
【００５２】
なお、給電アンテナ１０６及び受電アンテナ２０１は、ヘリカルアンテナであっても、ループアンテナであってもよく、メアンダラインアンテナ等の平面状のアンテナであってもよいものとする。
【００５３】
実施例１において、給電装置１００は、磁界共鳴方式に基づいて、電子機器２００に無線給電を行うようにしたが、これに限られるものではない。
【００５４】
例えば、給電装置１００は、磁界共鳴方式の代わりに、電界結合に基づいて、電子機器２００に無線給電を行うようにしてもよい。この場合、給電装置１００に電極を設け、電子機器２００に電極を設ける必要があり、給電装置１００の電極から電子機器２００の電極に電力が無線により供給される。
【００５５】
また、例えば、給電装置１００は、磁界共鳴方式の代わりに、電磁誘導に基づいて、電子機器２００に無線給電を行うようにしてもよい。
【００５６】
給電装置１００は、無線により電力を電子機器２００に供給するようにした。しかし、「無線」を「非接触」や「無接点」と言い換えてもよいものとする。
【００５７】
（第１の通知処理）
電子機器２００によって行われる第１の通知処理について、図４のフローチャートを用いて説明する。
【００５８】
受電アンテナ２０１が給電装置１００から電力を受電し、受電アンテナ２０１によって受電された電力が通信部２０４に供給された場合、通信部２０４は、Ｓ４０１において、通信部１０５との無線通信を行うための認証を行う。その後、本フローチャートは、Ｓ４０２に進む。
【００５９】
Ｓ４０２において、通信部２０４は、通信部１０５と無線通信が可能か否かを判定する。通信部２０４が通信部１０５と無線通信が可能である場合（Ｓ４０２でＹｅｓ）、本フローチャートは、Ｓ４０３に進む。通信部２０４が通信部１０５と無線通信が可能でない場合（Ｓ４０２でＮｏ）、本フローチャートは、終了する。
【００６０】
Ｓ４０１の処理によって通信部１０５との無線通信を行うための認証が完了した場合、通信部２０４は、通信部１０５と無線通信が可能になる。Ｓ４０１の処理によって通信部１０５との無線通信を行うための認証が完了していない場合、通信部２０４は、通信部１０５と無線通信ができなくなる。また、給電装置１００から電子機器２００への第１の電力の供給が停止された場合、通信部２０４は、通信部１０５と無線通信ができなくなる。給電装置１００から電子機器２００への第１の電力の供給が行われている場合、通信部２０４は、通信部１０５と無線通信ができる。
【００６１】
Ｓ４０３において、通信部２０４は、給電装置１００からステータス情報を要求するためのデータを受信したか否かを判定する。通信部２０４が給電装置１００からステータス情報を要求するためのデータを受信した場合（Ｓ４０３でＹｅｓ）、本フローチャートは、Ｓ４０４に進む。通信部２０４が給電装置１００からステータス情報を要求するためのデータを受信した場合（Ｓ４０３でＹｅｓ）、通信部２０４は、ＣＰＵ２０６に第２のデータを更新するように指示するため通知をＣＰＵ２０６に出力する。通信部２０４が給電装置１００からステータス情報を要求するためのデータを受信していない場合（Ｓ４０３でＮｏ）、本フローチャートは、Ｓ４０３に戻る。
【００６２】
Ｓ４０４において、ＣＰＵ２０６は、第２のデータが更新可能か否かを判定する。ＣＰＵ２０６が第２のデータが更新可能である場合（Ｓ４０４でＹｅｓ）、本フローチャートは、Ｓ４０５に進む。ＣＰＵ２０６が第２のデータが更新可能でない場合（Ｓ４０４でＮｏ）、本フローチャートは、Ｓ４０６に進む。
【００６３】
電池２０９の残容量が第１の所定値以上である場合、ＣＰＵ２０６は、電池２０９からＣＰＵ２０６に対して供給される電力を用いて、第２のデータを更新することができる。電池２０９の残容量が第１の所定値以上でない場合、電池２０９から供給される電力では、第２のデータを更新するために用いられる電力として足りないので、ＣＰＵ２０６は、第２のデータを更新できない。
【００６４】
また、給電装置１００から受電アンテナ２０１が受電した電力が第２の所定値以上である場合、ＣＰＵ２０６は、受電アンテナ２０１によって受電された電力を用いて、第２のデータを更新することができる。給電装置１００から受電アンテナ２０１が受電した電力が第２の所定値以上でない場合、受電アンテナ２０１によって受電された電力は、第２のデータを更新するために用いられる電力として足りないので、ＣＰＵ２０６は、第２のデータを更新できない。
【００６５】
また、ＣＰＵ２０６に対して第２のデータを更新するために用いられる電力が供給されている場合であっても、ＣＰＵ２０６にエラーが発生している場合、ＣＰＵ２０６は、第２のデータを更新できない。ＣＰＵ２０６に対して第２のデータを更新するために用いられる電力が供給されている場合に、ＣＰＵ２０６にエラーが発生していない場合、ＣＰＵ２０６は、第２のデータを更新することができる。
【００６６】
Ｓ４０５において、ＣＰＵ２０６は、通信部２０４から受けた通知に応じて、第２のデータを更新する。さらに、ＣＰＵ２０６は、第２のデータの更新が完了した場合、更新データを変更する。このことによって、ＣＰＵ２０６は、ステータス情報の更新を行う。第２のデータの更新が完了し、更新データが変更された後、ステータス情報の更新は完了する。ステータス情報の更新が完了した場合、本フローチャートは、Ｓ４０６に進む。
【００６７】
Ｓ４０６において、通信部２０４は、給電装置１００から受信したステータス情報を要求するためのデータへの応答として、メモリ２０４ａに格納されているステータス情報を送信する。この場合、本フローチャートは、Ｓ４０２に戻る。ＣＰＵ２０６が第２のデータが更新可能である場合（Ｓ４０４でＹｅｓ）、通信部２０４は、Ｓ４０５においてＣＰＵ２０６によって更新されたステータス情報を給電装置１００に送信する。ＣＰＵ２０６が第２のデータが更新可能でない場合（Ｓ４０４でＮｏ）、通信部２０４は、ＣＰＵ２０６によって更新されていないステータス情報を給電装置１００に送信する。
【００６８】
Ｓ４０６において、ＣＰＵ２０６が第２のデータが更新可能でない場合（Ｓ４０４でＮｏ）、通信部２０４は、ＣＰＵ２０６によって更新されていないステータス情報を給電装置１００に送信するようにした。しかしこれに限られないものとする。例えば、ＣＰＵ２０６が第２のデータが更新可能でない場合（Ｓ４０４でＮｏ）、Ｓ４０６において、通信部２０４は、第２のデータを含まず、第１のデータ及び更新データを含むステータス情報を給電装置１００に送信するようにしても良い。
【００６９】
図４の第１の通知処理が行われる場合、電子機器２００は、給電装置１００からステータス情報が要求されたタイミングに応じて、ステータス情報を更新する。
【００７０】
（第２の通知処理）
電子機器２００によって行われる第２の通知処理について、図５のフローチャートを用いて説明する。
【００７１】
図５の第２の通知処理において、図４の第１の通知処理と共通する処理については説明を省略する。図５のＳ５０１及びＳ５０２は、図４のＳ４０１及びＳ４０２と同様の処理であるので、説明を省略する。
【００７２】
通信部２０４が通信部１０５と無線通信が可能である場合（Ｓ５０２でＹｅｓ）、本フローチャートは、Ｓ５０３に進む。
【００７３】
Ｓ５０３において、所定の時間が経過したか否かを判定する。タイマー２１４は、ステータス情報が最後に更新されてから経過した時間を測定する。そのため、タイマー２１４によって測定された時間が所定の時間以上になった場合、所定の時間は経過したと判定される。タイマー２１４によって測定された時間が所定の時間以上でない場合、所定の時間は経過していないと判定される。所定の時間が経過した場合（Ｓ５０３でＹｅｓ）、本フローチャートは、Ｓ５０４に進む。所定の時間が経過していない場合（Ｓ５０３でＮｏ）、本フローチャートは、Ｓ５０６に進む。
【００７４】
Ｓ５０４において、ＣＰＵ２０６は、Ｓ４０４と同様に、第２のデータが更新可能か否かを判定する。ＣＰＵ２０６が第２のデータが更新可能である場合（Ｓ５０４でＹｅｓ）、本フローチャートは、Ｓ５０５に進む。ＣＰＵ２０６が第２のデータが更新可能でない場合（Ｓ５０４でＮｏ）、本フローチャートは、Ｓ５０６に進む。
【００７５】
Ｓ５０５において、ＣＰＵ２０６は、第２のデータを更新する。さらに、ＣＰＵ２０６は、第２のデータの更新が完了した場合、更新データを変更する。第２のデータの更新が完了し、更新データが変更された後、ステータス情報の更新は完了する。ステータス情報の更新が完了した場合、本フローチャートは、Ｓ５０６に進む。ステータス情報の更新が完了した場合、ＣＰＵ２０６は、ステータス情報が最後に更新されてから経過した時間を測定させるために、Ｓ５０５の処理が行われた後に経過した時間を計測するようにタイマー２１４を制御する。
【００７６】
Ｓ５０６において、通信部２０４は、Ｓ４０３と同様に、給電装置１００からステータス情報を要求するためのデータを受信したか否かを判定する。通信部２０４が給電装置１００からステータス情報を要求するためのデータを受信した場合（Ｓ５０６でＹｅｓ）、本フローチャートは、Ｓ５０７に進む。通信部２０４が給電装置１００からステータス情報を要求するためのデータを受信していない場合（Ｓ５０６でＮｏ）、本フローチャートは、Ｓ５０２に戻る。
【００７７】
Ｓ５０７において、給電装置１００から受信したステータス情報を要求するためのデータへの応答として、メモリ２０４ａに格納されているステータス情報を送信する。この場合、本フローチャートは、Ｓ５０２に戻る。ＣＰＵ２０６が第２のデータが更新可能である場合（Ｓ５０４でＹｅｓ）、通信部２０４は、Ｓ５０５においてＣＰＵ２０６によって更新されたステータス情報を給電装置１００に送信する。ＣＰＵ２０６が第２のデータが更新可能でない場合（Ｓ５０４でＮｏ）、通信部２０４は、ＣＰＵ２０６によって更新されていないステータス情報を給電装置１００に送信する。所定の時間が経過していない場合（Ｓ５０３でＮｏ）、通信部２０４は、前にＣＰＵ２０６によって更新されたステータス情報を給電装置１００に送信する。
【００７８】
Ｓ５０７において、ＣＰＵ２０６が第２のデータが更新可能でない場合（Ｓ５０４でＮｏ）、通信部２０４は、ＣＰＵ２０６によって更新されていないステータス情報を給電装置１００に送信するようにした。しかしこれに限られないものとする。例えば、ＣＰＵ２０６が第２のデータが更新可能でない場合（Ｓ５０４でＮｏ）、Ｓ５０７において、通信部２０４は、第２のデータを含まず、第１のデータ及び更新データを含むステータス情報を給電装置１００に送信するようにしても良い。
【００７９】
図５の第２の通知処理が行われる場合、電子機器２００は、スタータス情報が更新されてから所定の時間が経過した所定のタイミングに応じて、ステータス情報を更新する。
【００８０】
（給電処理）
給電装置１００によって行われる給電処理について、図６のフローチャートを用いて説明する。給電装置１００によって給電処理が行われる場合、電子機器２００は、図４の第１の通知処理及び図５の第２の通知処理の少なくとも一つを行う。
【００８１】
給電装置１００の電源がオンにされた場合、ＣＰＵ１０７は、Ｓ６０１の処理を行う。Ｓ６０１において、ＣＰＵ１０７は、所定の範囲内に電子機器２００が存在するか否かを検出するために、第１の電力を出力するように、発振器１０２、電力生成部１０３及び整合回路１０４を制御する。第１の電力が出力された場合、本フローチャートは、Ｓ６０２に進む。
【００８２】
Ｓ６０２において、ＣＰＵ１０７は、検出部１１２から供給されたＶＳＷＲのデータを用いて、所定の範囲内に電子機器２００が存在するか否かを検出する。所定の範囲内に電子機器２００が存在することが検出された場合（Ｓ６０２でＹｅｓ）、本フローチャートは、Ｓ６０３に進む。所定の範囲内に電子機器２００が存在することが検出されていない場合（Ｓ６０２でＮｏ）、本フローチャートは、Ｓ６０１に戻る。
【００８３】
Ｓ６０３において、ＣＰＵ１０７は、通信部２０４との無線通信を行うための認証を通信部１０５に行わせる。通信部２０４との無線通信を行うための認証が完了した後、本フローチャートは、Ｓ６０４に進む。
【００８４】
Ｓ６０４において、ＣＰＵ１０７は、ステータス情報を要求するためのデータを電子機器２００に送信するように通信部１０５を制御する。その後、本フローチャートは、Ｓ６０５に進む。
【００８５】
通信部１０５によって電子機器２００からステータス情報が受信された場合、Ｓ６０５において、ＣＰＵ１０７は、ステータス情報の更新が電子機器２００によって行われたか否かを判定する。ＣＰＵ１０７は、通信部１０５によって電子機器２００から受信されたステータス情報を解析し、ステータス情報に含まれる更新データを用いてステータス情報の更新が電子機器２００によって行われたか否かを判定する。
【００８６】
例えば、ＣＰＵ１０７は、電子機器２００から初めて取得されたステータス情報に含まれる更新データをＲＡＭ１０９に記録する。その後、ＣＰＵ１０７は、電子機器２００から２回目に取得されたステータス情報に含まれる更新データと、ＲＡＭ１０９に記録されている１回目に取得された更新データとが一致するか否かを判定する。この場合、２回目に取得された更新データと、ＲＡＭ１０９に記録されている１回目に取得された更新データとが一致する場合、ＣＰＵ１０７は、ステータス情報の更新が電子機器２００によって行われていないと判定する。また、２回目に取得された更新データと、ＲＡＭ１０９に記録されている１回目に取得された更新データとが一致しない場合、ＣＰＵ１０７は、ステータス情報の更新が電子機器２００によって行われたと判定する。つまり、２回目に取得された更新データが「１」であり、ＲＡＭ１０９に記録されている１回目に取得された更新データが「０」である場合、ＣＰＵ１０７は、ステータス情報の更新が電子機器２００によって行われたと判定する。また、２回目に取得された更新データが「０」であり、ＲＡＭ１０９に記録されている１回目に取得された更新データが「１」である場合、ＣＰＵ１０７は、ステータス情報の更新が電子機器２００によって行われたと判定する。また、２回目に取得された更新データが「１」であり、ＲＡＭ１０９に記録されている１回目に取得された更新データが「１」である場合、ＣＰＵ１０７は、ステータス情報の更新が電子機器２００によって行われていないと判定する。また、２回目に取得された更新データが「０」であり、ＲＡＭ１０９に記録されている１回目に取得された更新データが「０」である場合、ＣＰＵ１０７は、ステータス情報の更新が電子機器２００によって行われていないと判定する。なお、Ｓ６０５において、ＣＰＵ１０７は、Ｎ回目に電子機器２００から取得された更新データと、Ｎ−１回目に電子機器２００から取得された更新データとが一致する場合、ステータス情報の更新が電子機器２００によって行われていないと判定する。Ｓ６０５において、ＣＰＵ１０７は、Ｎ回目に電子機器２００から取得された更新データと、Ｎ−１回目に電子機器２００から取得された更新データとが一致しない場合、ステータス情報の更新が電子機器２００によって行われたと判定する。なお、Ｎは整数である。なお、Ｓ６０５において、通信部１０５が電子機器２００から初めてステータス情報を取得した場合、ＣＰＵ１０７は、ステータス情報の更新が電子機器２００によって行われたと判定する。
【００８７】
また、ＲＡＭ１０９に格納された更新データは、通信部１０５によって電子機器２００からステータス情報が取得されるたび、電子機器２００から取得されたステータス情報に含まれる更新データに上書きされる。
【００８８】
ステータス情報の更新が電子機器２００によって行われたと判定された場合（Ｓ６０５でＹｅｓ）、ＣＰＵ１０７は、電子機器２００から取得されたステータス情報が正しい情報であると判定し、本フローチャートはＳ６０６に進む。ステータス情報の更新が電子機器２００によって行われていないと判定された場合（Ｓ６０５でＮｏ）、ＣＰＵ１０７は、電子機器２００から取得されたステータス情報が正しい情報でないと判定し、本フローチャートはＳ６０７に進む。
【００８９】
Ｓ６０６において、ＣＰＵ１０７は、電子機器２００から取得されたステータス情報に含まれる第２のデータに応じて、第２の電力の値及び第２の電力を出力する給電期間を設定する。さらに、ＣＰＵ１０７は、第２のデータに応じて設定された第２の電力を出力するように発振器１０２、電力生成部１０３及び整合回路１０４を制御する。さらに、第２の電力が出力されてから第２のデータに応じて設定された給電時間が経過した後、本フローチャートは、Ｓ６０１に戻る。
【００９０】
第２の電力が給電装置１００から出力された場合、電子機器２００は、受電アンテナ２０１によって受電された電力を用いて、電池２０９の充電を充電部２０８に行わせる。さらに、第２の電力が給電装置１００から出力された場合、電子機器２００は、受電アンテナ２０１によって受電された電力を用いて、システム２１０を起動させる。
【００９１】
Ｓ６０７において、ＣＰＵ１０７は、電子機器２００から取得されたステータス情報を用いることなく、給電アンテナ１０６から出力される電力を停止する。このことによって、給電装置１００は、電子機器２００への無線給電を終了させる。給電アンテナ１０６から出力される電力が停止された場合、本フローチャートは終了する。
【００９２】
図６の給電処理において、通信部１０５が既に通信部２０４との無線通信を行うための認証を完了させている場合、Ｓ６０３の処理を省略しても良いものとする。
【００９３】
このように、実施例１における電子機器２００は、電子機器２００に関するステータス情報が更新されたか否かを給電装置１００に通知するために、更新データを給電装置１００に送信するようにした。そのため、電子機器２００は、電子機器２００の状態を正確に給電装置１００に通知することができる。
【００９４】
さらに、給電装置１００は、電子機器２００から取得した更新データを用いて、電子機器２００に関するステータス情報が正しいか否かを判定することができる。これにより、給電装置１００は、電子機器２００に関するステータス情報が正しくない場合は、電子機器２００への無線給電を停止できるので、電子機器２００への無線給電の制御を適切に行うことができる。
【００９５】
実施例１において、更新データは、１ビットのデータであるものとして説明を行った。しかしこれに限られないものとする。例えば、更新データは、２以上のビットで構成されたデータであっても良い。
【００９６】
実施例１において、給電装置１００及び電子機器２００は、ＮＦＣ規格に基づいて無線通信を行うものとした。しかし、給電装置１００及び電子機器２００は、ＮＦＣ規格以外の規格に基づいて無線通信を行うものであっても良いものとする。例えば、給電装置１００及び電子機器２００は、ＮＦＣ規格の代わりに、ＩＳＯ／ＩＥＣ  １８０９２規格に準拠した無線通信を行うものであってもよいものとする。また、給電装置１００及び電子機器２００は、ＮＦＣ規格の代わりに、ＲＦＩＤ（Ｒａｄｉｏ  Ｆｒｅｑｕｅｎｃｙ  ＩＤｅｎｔｉｆｉｃａｔｉｏｎに準拠した無線通信を行うものであってもよいものとする。また、給電装置１００及び電子機器２００は、ＮＦＣ規格の代わりに、ＩＳＯ／ＩＥＣ  １４４４３規格に準拠した無線通信を行うものであってもよいものとする。また、給電装置１００及び電子機器２００は、ＮＦＣ規格の代わりに、ＴｒａｎｓｆｅｒＪｅｔ（登録商標）規格に準拠した無線通信を行うものであってもよいものとする。また、給電装置１００及び電子機器２００は、ＮＦＣ規格の代わりに、ＩＳＯ／ＩＥＣ  ２１４８１規格に準拠した無線通信を行うものであってもよいものとする。また、給電装置１００及び電子機器２００は、ＮＦＣ規格の代わりに、Ｂｌｕｅｔｏｏｔｈ（登録商標）規格や無線ＬＡＮ規格に準拠した無線通信を行うものであってもよいものとする。
【００９７】
実施例１において、給電装置１００は、給電アンテナ１０６を用いて電子機器２００に第２の電力を供給し、給電アンテナ１０６を用いて通信部１０５と電子機器２００との通信を行うようにしたが、これに限られないものとする。例えば、給電装置１００は、電子機器２００に第２の電力を供給するためのアンテナと、通信部１０５と電子機器２００との通信を行うためのアンテナとを別々に有する構成であってもよい。そのため、電子機器２００に第２の電力を供給するためのアンテナに対応する共振周波数と、通信部１０５と電子機器２００との通信を行うためのアンテナに対応する共振周波数は、同一の周波数であっても、異なる周波数であっても良い。この場合、電子機器２００に第２の電力を供給するためのアンテナに対応する共振周波数は、６．７８ＭＨｚであっても良く、１００ＫＨｚ〜２５０ＫＨｚまでの間の周波数であっても良い。通信部１０５と電子機器２００との通信を行うためのアンテナに対応する共振周波数は、通信部１０５の通信規格に対応する周波数であれば、１３．５６ＭＨｚ以外の周波数であっても良い。
【００９８】
また、電子機器２００は、受電アンテナ２０１を用いて給電装置１００から電力を受け取り、受電アンテナ２０１を用いて給電装置１００と通信部２０４との通信を行うようにしたが、これに限られないものとする。例えば、電子機器２００は、給電装置１００から電力を受け取るためのアンテナと、給電装置１００と通信部２０４との通信を行うアンテナとを別々に有する構成であってもよい。そのため、給電装置１００から電力を受け取るためのアンテナに対応する共振周波数と、給電装置１００と通信部２０４との通信を行うアンテナに対応する共振周波数は、同一の周波数であっても、異なる周波数であっても良い。この場合、給電装置１００から電力を受け取るためのアンテナに対応する共振周波数は、６．７８ＭＨｚであっても良く、１００ＫＨｚ〜２５０ＫＨｚまでの間の周波数であっても良い。給電装置１００と通信部２０４との通信を行うアンテナに対応する共振周波数は、通信部１０５の通信規格に対応する周波数であれば、１３．５６ＭＨｚ以外の周波数であっても良い。
【００９９】
（他の実施例）
本発明に係る給電装置１００は、実施例１において説明した給電装置１００に限定されるものではない。また、本発明に係る電子機器２００も実施例１において説明した電子機器２００に限定されるものではない。例えば、本発明に係る給電装置１００及び電子機器２００は、複数の装置から構成されるシステムにより実現することも可能である。
【０１００】
また、実施例１において説明した様々な処理及び機能は、コンピュータプログラムにより実現することも可能である。この場合、本発明に係るコンピュータプログラムは、コンピュータ（ＣＰＵ等を含む）で実行可能であり、実施例１で説明した様々な機能を実現することになる。
【０１０１】
本発明に係るコンピュータプログラムは、コンピュータ上で稼動しているＯＳ（Ｏｐｅｒａｔｉｎｇ  Ｓｙｓｔｅｍ）などを利用して、実施例１で説明した様々な処理及び機能を実現してもよいことは言うまでもない。
【０１０２】
本発明に係るコンピュータプログラムは、コンピュータ読取可能な記録媒体から読み出され、コンピュータで実行されることになる。コンピュータ読取可能な記録媒体には、ハードディスク装置、光ディスク、ＣＤ−ＲＯＭ、ＣＤ−Ｒ、メモリカード、ＲＯＭ等を用いることができる。また、本発明に係るコンピュータプログラムは、通信インターフェースを介して外部装置からコンピュータに提供され、当該コンピュータで実行されるようにしてもよい。
【図１】
2016066829.tif 000003
【図２】
2016066829.tif 000004
【図３】
2016066829.tif 000005
【図４】
2016066829.tif 000006
【図５】
2016066829.tif 000007
【図６】
2016066829.tif 000008